(57)【特許請求の範囲】
【請求項１】
縦軸ポンプのポンプ軸と電動機の駆動軸を動力伝達可能に連結する軸継手の少なくとも一方の継手部と該継手部が取り付けられる軸に固定された固定部材との間に、外周面に雄ねじを刻設した内筒と内周面に前記雄ねじと螺合する雌ねじを刻設した外筒を有し、内筒と外筒とを相対的に回転させて固定することで、内筒の端面と外筒の端面間の全長を任意に調節可能な長さ調節機能を有する調節リング装置を、該調節リング装置の前記内筒及び前記外筒の両端面を前記継手部及び前記固定部材にそれぞれ当接させて設けたことを特徴とする動力伝達軸の継手構造。
【発明の詳細な説明】
【０００１】
【発明の属する技術分野】
本発明は、例えば、立軸ポンプのポンプ軸と電動機の駆動軸を動力伝達可能に連結する動力伝達軸の継手構造に関する。
【０００２】
【従来の技術】
例えば、１床式の立軸ポンプにおいては、図４に示すように、ポンプ床１０にポンプ装置１２が吊り下げ固定され、このポンプ床１０に立設された架台１４の上面に電動機１６が据え付けられる。そして、ポンプ装置１２のポンプ軸１８と電動機１６の駆動軸２０とは、例えば、撓み軸継手（フレキシブルカップリング）等の軸継手２２によって動力伝達可能に連結される。
【０００３】
図５に詳細に示すように、軸継手２２の一方の継手部２４ａがポンプ軸１８の端部に、他方の継手部２４ｂが駆動軸２０の端部にそれぞれ取り付けられ、両継手部２４ａ，２４ｂは例えば板ばね２６等の弾性部材を介してフレキシブルに連結されている。両者を連結する場合には、架台１４の高さ寸法に対するポンプ装置１２と電動機１６間の軸継手面間寸法Ｗ1 を調整する必要がある。
【０００４】
このため、例えば、ポンプ軸１８の端部に螺着された軸ナット（調整ナット）２８の端面と該ポンプ軸１８に取り付けられる継手部２４ａの端面との間に円筒状の調整リング３０を装着して、軸継手２２の取付位置を調整していた。調整リング３０の長さＬは、電動機１６を架台１４上に仮据え付けした後、電動機１６側の軸端寸法Ｗ2 及び軸継手面間寸法Ｗ1 を測定して求め、工場或いは現場で長さＬを有する調整リング３０を加工していた。
【０００５】
一方、２床式の立軸ポンプにおいては、図６に示すように、ポンプ床１０とは別に電動機床３２が設けられ、ポンプ床１０にポンプ装置１２が吊り下げ固定され、電動機床３２の架台３４の上面に電動機１６が据え付けられている。ポンプ装置１２のポンプ軸１８と電動機１６の駆動軸２０とは、軸継手２２によって動力伝達可能に連結される。
【０００６】
そして、将来、地盤沈下等によって床間寸法に誤差が生じた場合のポンプ装置１２と電動機１６間の軸継手面間寸法の調整手段として、前述と同様に、ポンプ軸１８の端部の軸ナット２８の端面と継手部２４ａの端面との間に調整リング３０を装着していた。このことは、多床式の立軸ポンプにあっても同様であった。
【０００７】
【発明が解決しようとする課題】
しかしながら、このような従来の技術では、現場で長さを決定し、工場或いは現地で調整リングを加工していたので、作業が煩雑でかつ時間が掛かり、コストアップの要因となっていた。特に、大型の立軸ポンプにあっては、これらの作業を高所で行う必要があるために、安全上も好ましくない。
【０００８】
本発明は上記課題に鑑みて為されたもので、調整リングの加工を行わずに軸継手の取付位置を調整することができ、特に、立軸ポンプに使用した場合に、作業の安全とコストの低減を図ることができるようにした動力伝達軸の継手構造を提供することを目的とする。
【０００９】
【課題を解決するための手段】
請求項１に記載の発明は、縦軸ポンプのポンプ軸と電動機の駆動軸を動力伝達可能に連結する軸継手の少なくとも一方の継手部と該継手部が取り付けられる軸に固定された固定部材との間に、外周面に雄ねじを刻設した内筒と内周面に前記雄ねじと螺合する雌ねじを刻設した外筒を有し、内筒と外筒とを相対的に回転して固定することで、内筒の端面と外筒の端面間の全長を任意に調節可能な長さ調節機能を有する調節リング装置を、該調節リング装置の前記内筒及び前記外筒の両端面を前記継手部及び前記固定部材にそれぞれ当接させて設けたことを特徴とする動力伝達軸の継手構造である。これにより、内筒と外筒とを相対的に回転して調節リング装置の長さを調整することで、現場合せによる調整加工を施すことなく、軸継手の取付位置を調整することができる。
【００１１】
【発明の実施の形態】
以下、本発明の実施の形態を図１乃至図３を参照して説明する。この実施の形態では、ポンプ軸１８の端部に螺着された軸ナット２８の端面と該ポンプ軸１８に取り付けられる継手部２４ａの端面との間に長さ調整機能を有する調節リング装置４０が装着されている。ポンプ軸１８と継手部２４ａとの間にはキー３６が装着されて、両者が一体となって回転するようになっている。
【００１２】
この調節リング装置４０は、ポンプ軸１８の装着位置における外径とほぼ同じ内径の内筒４２と、この内筒４２の周囲を囲繞する外筒４４とからなり、内筒４２の外周面には雄ねじ４６が、外筒４４の内周面には雄ねじ４６と螺合する雌ねじ４８がそれぞれ刻設されている。これによって、内筒４２と外筒４４とを相対的に回転させることで、内筒４２の端面と外筒４４の端面間の長さＬ1を調整できるようになっている。
【００１３】
内筒４２には、その内周面にキー溝５０が設けられ、キー溝５０内にキー３６を位置させることで回転不能にポンプ軸１８に取り付けられる。内筒４２の外周面の基準セット位置には、円周方向の全周に亘るＶ溝５２が設けられている。一方、外筒４４の円周方向所定位置に、スパナ用の貫通孔５４とねじ溝５６が設けられ、貫通孔５４にスパナの突起を嵌着して回転させることに位置調整が可能であり、ねじ溝５６内に止めねじ５８を螺着させることで内筒４２に固定されるようになっている。
【００１４】
この実施の形態において、軸継手２２の取付位置を調整する方法を説明する。予め、調節リング機構４０の内筒４２と外筒４４を相対的に回転させて長さ方向に縮めておく。そして、調節リング機構４０を、ポンプ軸１８の端部の軸ナット２８の端面と該ポンプ軸１８に取り付けられた継手部２４ａの端面との間に装着し、継手部２４ａを適当な部材に仮付けしておく。
【００１５】
そして、外筒４４の貫通孔５４にスパナの突起を嵌着して回転させ、内筒４２をポンプ軸１８に沿って継手部２４ａの端面に突き当たるまで延ばし、内筒４２の端面と外筒４４の端面間の長さＬ1 を調整する。さらに、スパナを増し締めしてガタを無くした後、ねじ溝５６内に止めねじ５８を螺着させて内筒４２と外筒４４を互いに固定する。これにより、調節リング装置４０の長さを調整することで、軸継手２２の取付位置を容易且つ迅速に調整することができる。
【００１６】
【発明の効果】
以上説明したように、本発明によれば、調節リングを用いることにより、調整リングを調整加工する必要がなくなり、軸継手の取付位置調整作業を容易且つ迅速に、しかも安価に行うことができ、電動機の入庫に左右されることなく、組立工程を進めることができる。特に、立軸ポンプに使用することにより、電動機の吊り下げ、吊降しを含む高所での作業時間を大幅に短縮して、危険防止を図ることができる。
【図面の簡単な説明】
【図１】本発明の実施の形態の使用状態の要部を示す断面図である。
【図２】調節リング装置の内筒を示し、（ａ）は正面図、（ｂ）はそのＡ−Ａ線断面図である。
【図３】調節リング装置の外筒を示し、（ａ）は正面図、（ｂ）はそのＢ−Ｂ線断面図である。
【図４】従来の１床式の立軸ポンプの据え付け例を示す縦断正面図である。
【図５】図４の要部拡大図である。
【図６】従来の２床式の立軸ポンプの据え付け例を示す縦断正面図である。
【符号の説明】
１２    ポンプ装置
１６    電動機
１８    ポンプ軸
２０    駆動軸
２２    軸継手
２４ａ，２４ｂ    継手部
４０    調節リング装置
４２    内筒
４４    外筒
４６    雄ねじ
４８    雌ねじ
【図１】
0003901858.tif 000002
【図２】
0003901858.tif 000003
【図３】
0003901858.tif 000004
【図４】
0003901858.tif 000005
【図５】
0003901858.tif 000006
【図６】
0003901858.tif 000007